(57)【要約】  組み込まれたカバー糸（１２）を有する織物材料（１０）を製織するための織機を改良するために、少なくとも１つのカバー糸（１２）用の配置装置と、さらなる経糸（８）を配置するための経糸配置要素（１４）を有する経糸配置装置（９）と、を設けることが提案されている。経糸配置装置（９）は、さらなる経糸（８）を開始位置から上杼口（５）を通って下杼口（４）にまたは下杼口を通って上杼口に入り込ませることができ、これによって、緯糸打込み装置（７）がさらなる経糸（８）と交差するように、設計されている。配置装置は、少なくとも１つのカバー糸ガイド（１３）を有しており、該カバー糸ガイド（１３）は、経糸配置装置（９）の開始位置において、横方向移動手段によって、経糸（２）を横切る方向に移動可能になっている。【選択図】図１
2013531745.tif 000002
【特許請求の範囲】
【請求項１】
組み込まれたカバー糸を有する織物材料（１０）を製織するための織機であって、
−少なくとも上杼口（５）および下杼口（４）を有する杼口（３）を経糸（２）から形成するための杼口形成装置と、
−緯糸を打ち込むための緯糸打込装置（７）と、
−打ち込まれた緯糸を筬打ちするための筬（１）と、
−少なくとも１つのカバー糸（１２）用の配置装置と、
を備えている、織機において、
前記織機は、付加的な経糸（８）を配置するために互いに隣接して配置された複数の経糸配置要素（１４）を有する経糸配置装置（９）をさらに備えており、
前記経糸配置装置（９）は、前記付加的な経糸（８）用の前記経糸配置要素（１４）を開始位置から、前記上杼口（５）を通って前記下杼口（４）に入り込ませるかまたは前記下杼口を通って前記上杼口に入り込ませるための駆動装置を備えており、前記経糸配置装置は、前記緯糸打込装置（７）が前記付加的な経糸（８）と交差するように位置決めされるようになっており、前記カバー糸用配置装置は、少なくとも１つのカバー糸ガイド（１３）を備えており、前記カバー糸ガイド（１３）は、前記経糸配置装置（９）の前記開始位置（１１）において、横方向移動手段によって、前記経糸（２）を横切る方向に移動可能になっている、ことを特徴とする織機。
【請求項２】
前記カバー糸ガイド（１３）は、前記横方向移動手段によって、前記杼口の各位置に移動可能になっている、ことを特徴とする請求項１に記載の織機。
【請求項３】
前記経糸配置装置（９）の前記経糸配置要素（１４）は、一定の距離、好ましくは、等距離を隔てて互いに隣接して配置されている、ことを特徴とする請求項１または２に記載の織機。
【請求項４】
前記経糸配置装置（９）は、横方向移動手段をさらに備えており、該横方向移動手段によって、前記経糸配置要素（１４）は、前記杼口（３）内に入り込まないとき、前記経糸（２）に対して横方向に移動可能になっている、ことを特徴とする請求項１〜３の１つに記載の織機。
【請求項５】
前記カバー糸用配置装置は、少なくとも１つのさらに他のカバー糸ガイド（１６）を備えており、前記さらに他のカバー糸ガイド（１６）は、前記経糸（２）の方向に関して前記カバー糸ガイド（１３）の背後に配置されており、前記経糸（２）の方向に対して横方向に移動可能になっている、ことを特徴とする請求項１〜４の１つに記載の織機。
【請求項６】
前記付加的な経糸（８）の負荷を低減させるために、前記カバー糸（１２）を保持するための少なくとも１つの可動フック（１７）を備えており、前記カバー糸（１２）の配置の後、前記保持フック（１７）は、前記細長布（１０）から開始位置に移動可能になっている、ことを特徴とする請求項１〜５の１つに記載の織機。
【請求項７】
いくつかの経糸配置装置（９）が、筬打ち耳に対して平行にかつ所定距離を隔てて互いに隣接して、配置されている、ことを特徴とする請求項１〜６の１つに記載の織機。
【請求項８】
前記経糸配置装置（９）は、連結して駆動されるようになっている、ことを特徴とする請求項７に記載の織機。
【請求項９】
前記経糸配置装置（９）が個別にかつ互いに独立して駆動されるように、個別の駆動装置が設けられている、ことを特徴とする請求項７に記載の織機。
【発明の詳細な説明】
【技術分野】
【０００１】
本発明は、組み込まれたカバー糸を有する織物材料を製織するための織機に関する。
【背景技術】
【０００２】
前述の形式の織機は、特許文献１から知られている。この特許では、細幅布を織っている間に、取付け糸が供給ニードルによって配置されるようになっている。ここには、細幅ニードル織機が、導体糸、特にアンテナ糸の織込みをどのようにすれば有利に実行することができるかについて何らの示唆もない。同様の技術が、特許文献２に独自に開示されている。
【０００３】
特許文献３から、経糸方向を横切って配向されているシャフトに配置された供給ニードルを有することによって、導電糸を様々な形態で組み込むことが知られている。このシャフトは、該シャフトの枢動を行うための第１の駆動装置に接続されており、さらに軸方向における移動を行うための第２の駆動装置に接続されている。枢動によって、ブレードは、杼口に出し入れされることになる。その結果、ブレードは、細幅布の幅を横切って移動することができる。
【０００４】
特許文献４から、有効糸を織り込むための織機が知られている。有効糸は、裏布内に組み込まれるかまたは裏布の上に配置されることが可能になっている。特許文献４の織機は、個々の経糸を選択することができる経糸開口装置を備えている。ここでは、有効糸は、選択された付加的な経糸である。これによって、有効糸および任意の付加的な経糸の両方が、杼口内に案内されることになる。その結果、付加的な経糸および選択された有効糸の上から供給される一連の有効糸は、該有効糸の横断時に、これらの経糸によって結び付けられることになる。これは、有効糸が裏布の上に付加されるというよりは、むしろ裏布の一部をなし、これによって、構造を変更していることを意味している。
【先行技術文献】
【特許文献】
【０００５】
【特許文献１】スイス特許第４９０５４１号明細書
【特許文献２】米国特許第３，７９６，２３４号明細書
【特許文献３】国際特許出願公開第２００７／０７１０７７Ａ１号パンフレット
【特許文献４】特開２００５−０１５９５４号公報
【発明の概要】
【発明が解決しようとする課題】
【０００６】
組み入れられたカバー糸を有する織物材料を製織するのに適する織機を提供することが、本発明の目的である。これに関して、該織機は、織物材料を著しく変更することなく、カバー糸を織物材料に付加するのに有用である。
【課題を解決するための手段】
【０００７】
この目的は、前述の織機において請求項１に記載の装置を設けることによって、達成されることになる。第１に、本発明の手段によれば、まず緯糸方向におけるカバー糸ガイドの横断運動によっても、カバー糸を結び付けることができる。さらに、これは特に有利なことであるが、運動、すなわち、結付けおよび緯糸配置を２つの運動に分けることによって、細幅布の面における目に見える結付けをなくすことができる。この方法によれば、織機は、特開２００５−０１５９５４号公報の織機と対照的に、織布材料を著しく変更させることなく、カバー糸を付加することができる。織機が、少なくとも１本のカバー糸用配置装置に加えてかつそれとは独立して、付加的な経糸を配置するために互いに隣接して配置された複数の経糸配置要素を有する経糸配置装置を備えているという事実によって、特開２００５−０１５９５４号公報の欠点、すなわち、カバー糸が裏布の一部をなし、これによって、構造を変更させるという欠点が回避されることになる。
【０００８】
また、カバー糸が移動することができ、経糸配置要素間において細幅布の任意の配置位置に配置可能になっていると、極めて有利である。
【０００９】
織機の有利な実施形態は、従属請求項に記載されている。
【００１０】
もし経糸配置装置が横方向移動手段も備えており、該横方向移動手段によって、該経糸配置装置が、杼口内に入り込まないとき、経糸に対して横方向に移動可能になっていると、有利である。
【００１１】
本発明の有利な実施形態によれば、配置装置は、少なくとも１つのさらに他のカバー糸ガイドを備えており、該さらに他のカバー糸ガイドは、経糸の方向に関して前記カバー糸ガイドの背後に配置されており、経糸の方向に対して横方向に移動可能になっている。
【００１２】
本発明のさらに他の実施形態によれば、本装置は、筬が停止しているときにカバー糸を保持することができる少なくとも１つの保持フックを備えている。これによって、保持フックは、カバー糸の配置の後に細長布から開始位置に移動可能となるように、案内されることになる。
【００１３】
前述の実施形態は、主に細幅織機に関する。広幅織機の場合も、いくつかの経糸配置装置を筬打ち耳に対して平行にかつ所定の距離を隔てて互いに隣接して配置することによって、本発明による技術を有利に用いることができる。好ましくは、経糸配置装置は、連結して駆動されるようになっている。しかし、一部の用途に対して、もし経糸配置装置が個別にかつ互いに独立して駆動されるように個別の駆動装置が設けられると、有利な場合もある。
【００１４】
本発明によって用いられる前述の要素ならびに請求項および以下の例示的な実施形態に記載の要素は、それらの大きさ、形状、材料の使用、および技術設計に関して、どのような特定の条件によっても排除されるものではない。従って、それぞれの応用分野において知られている選択基準が、限定されることなく適用されてもよい。
【００１５】
以下、図面を参照して、織機の実施形態についてさらに詳細に説明する。
【図面の簡単な説明】
【００１６】
【図１】本発明の第１の実施形態による織機の基本的な運動を説明するための該織機の概略図である。
【図２】カバー糸ガイドの配置運動を説明するための図１に記載の織機の概略図である。
【図３】いくつかのカバー糸ガイドを有する本発明の第２の実施形態による織機の概略図である。
【図４】保持フックを有する本発明の第３の実施形態による織機の概略図である。
【図５】互いに隣接して配置された３つの並列作動経糸配置装置を有する実施形態による織機を示す図である。
【発明を実施するための形態】
【００１７】
図１は、本発明の第１の実施例による織機の基本運動を説明するために、該織機を概略図として示している。グリッパー織機では、細幅布１０を製織するための経糸２は、緯糸打込ニードル７またはグリッパーによって緯糸を打ち込むための上杼口５および下杼口４を形成するようになっている。筬１は、打ち込まれた緯糸をすでに織られた織物材料１０に寄せるために、従来方式で配置されている。
【００１８】
経糸配置装置９が、上杼口５を通って下杼口４に入り込むようになっている。同時に、筬１が後退する。経糸配置装置９は、筬１の方向に移動可能になっていると共に、下杼口４内まで下方にも移動可能になっている。ここに記載されている実施形態では、経糸配置装置９は、筬１の移動に追従するようになっている。しかし、経糸配置装置は、停止可能になっていてもよく、または結付けの形態によっては、可変周期で杼口内に入り込むことが可能になっていてもよい。
【００１９】
緯糸打込ニードルまたはグリッパー７の緯糸は、もし経糸配置要素が下杼口内にあるなら、付加的な経糸８と交差することになる。図示されている実施形態では、緯糸打込ニードル７またはグリッパーの緯糸は、補助糸によって固着されるようになっている。経糸配置装置９は、経糸配置要素を下杼口４および上杼口５から持ち上げ、筬１と共に開始位置１１に移動するようになっている。その後、ここに記載されている実施形態では取付け糸である付加的な経糸８は、筬１によって筬打ちされることになる。経糸配置装置は、被覆する経糸に触れないように配置されねばならない。
【００２０】
カバー糸ガイドによる付加的な配置が、図２に示されている。カバー糸１２用カバー糸ガイド１３は、横断運動によって、経糸配置要素１４間の任意の配置位置に入り込むことが可能になっている。この後、図１による前述の基本運動が続くことになる。カバー糸１２は、有効糸、例えば、ワイヤ、ひとつなぎの真珠、弾性糸、などであってもよいし、または機能糸、例えば、ＬＥＤ糸、導電糸などであってもよい。
【００２１】
経糸配置装置９が開始位置１１にあるとき、カバー糸ガイド１３は、例えば、リニアモータ、カム機構、などによって、経糸配置要素１４を通って移動し、新しい配置位置に達することができる。望ましい効果および機能に依存して、これは、周期的に行われてもよいし、または自由に設定したパターンに従って、行われてもよい。
【００２２】
付加的な経糸、すなわち、取付け糸８によって、カバー糸１２は、特に緯糸方向において、細幅布１０に結び付けられることになる。代替的にまたは付加的な効果として、前述の実施形態では取付け糸である付加的な経糸８が、一連の有効糸によって構成されていてもよい。  
【００２３】
経糸配置装置９は、細幅布１０の経糸方向に沿ってカバー糸１２を配置しかつ結び付けるために、横断運動中に１つまたはいくつかの経糸要素１４を移動させることができるようになっていてもよい。これによって、新しいパターンおよび効果が可能になる。経糸配置要素１４は、一定の相互距離を隔てて、ここに記載されている実施形態では等距離を隔てて、互いに隣接して配置されている。
【００２４】
図３に示されている本発明のさらに他の実施形態によれば、いくつかのカバー糸ガイドが前後方向に配列されることが可能になっている。
【００２５】
各カバー糸ガイド１３，１６は、個々の駆動装置によって駆動され、横断方向において互いに独立して移動可能になっている。
【００２６】
この織機では、カバー糸１２，１５は、交差することができ、これによって、新しい効果を得ることができる。
【００２７】
本発明のさらに他の実施形態が、図４に示されている。この実施形態では、保持フックが用いられている。
【００２８】
保持フック１７は、ここに記載されている実施形態では取付け糸である付加的な経糸８の負荷を低減させるために、カバー糸を保持するものである。保持フックの移動は、回転によって行われてもよいが、直線運動によって行われてもよい。保持フックに関して、織りストロークによっては、２つまたは複数の部材１８が用いられてもよい。カバー糸１２が配置されるやいなや、保持フック１７は、細幅布１０からその開始位置に後退するようになっており、またはカバー糸１２が結び付けられるまで、その位置に保持されるようになっている。
【００２９】
図５は、互いに隣接して配置され、並列作動するようになっている３つの経糸配置装置９に基づく実施形態による織機を示している。経糸配置装置は、前述の実施形態の装置に対応しており、明瞭にするために、図５では示されていない。このような広幅織機においても、いくつかの経糸配置装置９−ここに記載されている実施形態では３つの経糸配置装置９を筬打ち耳と平行にかつ所定の相互距離を隔てて互いに隣接して配置することによって、本発明の技術が有利に実施されることになる。ここに記載されている実施形態では、いくつかの細長布は、並列に製織されるようになっている。もし生産率を高めるだけのために細長布が同一形式であるなら、それぞれの経糸配置装置９は、連結して駆動されることになる。また、用途によっては、例えば、もし互いに異なって構成された細幅布が互いに隣接して製織される場合、またはもし互いに異なる用途のものが広幅布１０上に製織される場合、経糸配置装置９が個別にかつ互いに独立して駆動かつ制御されるように、個別の駆動装置を設けると、有利である。
【符号の説明】
【００３０】
１  筬
２  細幅布の経糸
３  杼口
４  下杼口
５  上杼口
６  掴みニードルまたはかぎ針編用ニードル
７  緯糸打込みニードルまたは緯糸打込グリッパー
８  取付け糸または有効糸としての付加的経糸
９  経糸配置装置
１０  細幅布
１１  経糸配置装置の開始位置
１２  カバー糸
１３  カバー糸ガイド
１４  経糸配置要素
１５  第２のカバー糸
１６  第２のカバー糸ガイド
１７  保持フック
１８  保持フックの部材
【図１】
2013531745.tif 000003
【図２】
2013531745.tif 000004
【図３】
2013531745.tif 000005
【図４】
2013531745.tif 000006
【図５】
2013531745.tif 000007
【国際調査報告】
2013531745.tif 000008
2013531745.tif 000009
2013531745.tif 000010
2013531745.tif 000011
2013531745.tif 000012
2013531745.tif 000013